(57)【要約】      （修正有）【課題】配管又は配線を固定ベースの上面に載置した設備機器の底部の下を取り回せる固定ベース及び設備機器の設置構造を提供する。【解決手段】固定ベース１００は、長手方向を水平方向にして設置される角柱状のコンクリート製とされ、室外機が載置される上面１１０と、長手方向に沿った一方の側面１３０Ａから他方の側面１３０Ｂに連通する下側溝１５０Ａ及び下側溝１５０Ｂと、を備えている。【選択図】図１
2019173336.tif 000002
【特許請求の範囲】
【請求項１】
長手方向を水平方向にして設置される角柱状の固定ベースであって、
設備機器が載置される上面と、
長手方向に沿った一方の側面から他方の側面に連通する連通部と、
を備えた固定ベース。
【請求項２】
前記連通部は、下面に形成された下側溝である、
請求項１に記載の固定ベース。
【請求項３】
前記連通部は、前記上面に形成された上側溝である、
請求項１に記載の固定ベース。
【請求項４】
長手方向が平行になるように並んで設置された複数の請求項１〜請求項３のいずれか１項に記載の固定ベースと、
前記固定ベースの上面に載置された設備機器と、
前記設備機器の一方の側部側から、前記固定ベースの連通部に通されて、前記設備機器の底部の下を取り回され、前記設備機器の他方の側部側に延びる配管又は配線と、
を備えた設備機器の設置構造。
【発明の詳細な説明】
【技術分野】
【０００１】
本発明は、固定ベース及び設備機器の設置構造に関する。
【背景技術】
【０００２】
従来から、給湯器、室外機及び燃料電池ユニット等の設備機器を載せる固定ベース（所謂ゲタ基礎）が知られている（例えば、特許文献１参照）。
【先行技術文献】
【特許文献】
【０００３】
【特許文献１】特開２０１２−１７７２７６号公報
【発明の概要】
【発明が解決しようとする課題】
【０００４】
例えば、固定ベースに載置された設備機器における配管又は配線が接続された側部と反対の側部の横に、配管又は配線が接続する機器が設置されている場合がある。この場合、配管又は配線は、固定ベースがあるため設備機器の底部の下を取り回すことができない。よって、配管又は配線は、設備機器の横又は上を取り回すことになる。また、配管又は配線を設備機器の横又は上を取り回すことができない場合は、固定ベースが設置された地盤を掘って地中を取り回すことになる。
【０００５】
本発明は、上記事実を鑑み、配管又は配線を固定ベースの上面に載置した設備機器の底部の下を取り回せるようにすることが目的である。
【課題を解決するための手段】
【０００６】
請求項１の発明は、長手方向を水平方向にして設置される角柱状の固定ベースであって、設備機器が載置される上面と、長手方向に沿った一方の側面から他方の側面に連通する連通部と、を備えた固定ベースである。
【０００７】
請求項１に記載の発明では、配管又は配線は、固定ベースの連通部に通して、固定ベースの上面に載置した設備機器の底部の下を取り回すことができる。
【０００８】
請求項２の発明は、前記連通部は、下面に形成された下側溝である、請求項１に記載の固定ベースである。
【０００９】
請求項２に記載の発明では、配管又は配線は、固定ベースの下側溝に通して、固定ベースの上面に載置された設備機器の底部の下を取り回すことができる。また、固定ベースの上面には長手方向に直交する方向に沿った上側溝がないので、上側溝がある場合と比較し、設備機器の載置の安定度が向上する。
【００１０】
請求項３の発明は、前記連通部は、前記上面に形成された上側溝である、請求項１に記載の固定ベースである。
【００１１】
請求項３に記載の発明では、配管又は配線は、固定ベースの上側溝に通して、固定ベースの上面に載置された設備機器の下を取り回すことができる。また、配管又は配線は、固定ベースを設置する設置面に接触しないので、配管又は配線の腐食等が抑制される。
【００１２】
請求項４の発明は、長手方向が平行になるように並んで設置された複数の請求項１〜請求項３のいずれか１項に記載の固定ベースと、前記固定ベースの上面に載置された設備機器と、前記設備機器の一方の側部側から、前記固定ベースの連通部に通されて、前記設備機器の底部の下を取り回され、前記設備機器の他方の側部側に延びる配管又は配線と、を備えた設備機器の設置構造である。
【００１３】
請求項４に記載の発明では、配管又配線は、固定ベースの上面に載置された設備機器の一方の側部側から、固定ベースの連通部に通されて、設備機器の底部の下を取り回され、設備機器の他方の側部側に延びる。
【発明の効果】
【００１４】
本発明によれば、配管又は配線を固定ベースの上面に載置した設備機器の底部の下を取り回すことができる。
【図面の簡単な説明】
【００１５】
【図１】第一実施形態の固定ベースの斜視図である。
【図２】図１の固定ベースに室外機を載置した状態を模式的に示すＸ方向から見た正面図である。
【図３】図１の固定ベースに室外機を載置した状態を示すＹ方向から見た側面図である。
【図４】第二実施形態の固定ベースの斜視図である。
【図５】図４の固定ベースに室外機を載置した状態を模式的に示すＸ方向から見た正面図である。
【図６】図４の固定ベースに室外機を載置した状態を示すＹ方向から見た側面図である。
【図７】他の例の固定ベースに室外機を載置した状態を示すＹ方向から見た側面図である。
【発明を実施するための形態】
【００１６】
＜第一実施形態＞
本発明の第一実施形態に係る固定ベース及びこの固定ベースを用いた設備機器の設置構造について説明する。なお、水平方向の直交する二方向をＸ方向及びＹ方向とし、それぞれ矢印Ｘ及び矢印Ｙで示す。また、Ｘ方向及びＹ方向と直交する鉛直方向をＺ方向とし、矢印Ｚで示す。
【００１７】
［全体構造］
先ず第一実施形態に係る固定ベースの構造及び設置構造の全体構造について説明する。
【００１８】
（固定ベース）
図１に示すように、本実施形態の固定ベース１００は、長手方向を水平方向にして設置面Ｇ（図２及び図３を参照）に設置される角柱状のコンクリート製の所謂ゲタ基礎である。なお、本実施形態の設置面Ｇは、地盤にコンクリートを打設した基礎の上面である。
【００１９】
固定ベース１００は、上面１１０、下面１２０、側面１３０Ａ、側面１３０Ｂ（図２をも参照）、端面１４０Ａ及び端面１４０Ｂ（図３も参照）の六つの面を有する角柱状である。なお、本実施形態の固定ベース１００における各角部には、Ｃ面取り又はＲ面取りが成されている。
【００２０】
上面１１０は平面視で長方形状とされている。下面１２０は上面１１０に対して平行であり（図２及び図３も参照）、同じく長方形状とされている。但し、下面１２０は、上面１１０に対して長辺（長手方向）はほぼ同じ長さであるが（図３も参照）、短辺（幅方向）は上面１１０よりも長い（図２も参照）。
【００２１】
端面１４０Ａ及び端面１４０Ｂ（図３も参照）は、上面１１０及び下面１２０の短辺同士の間を構成し、等脚台形状とされている（図２も参照）。側面１３０Ａ及び側面１３０Ｂ（図２も参照）は、上面１１０及び下面１２０の長辺同士の間を構成し、Ｚ方向に対する傾斜面となっている（図２も参照）。
【００２２】
固定ベース１００が設置面Ｇ（図２及び図３参照）に設置された状態では、長辺（長手方向）はＸ方向に沿っており、短辺（幅方向）はＹ方向に沿っている。上記及び下記における固定ベース１００の各方向は、設置面Ｇに設置された状態における方向で説明している。
【００２３】
前述したように、固定ベース１００は、コンクリート製であり、図示していない成形型等を用いて製造される。また、図示していないが、固定ベース１００内には、平面視で格子状に鉄筋が配筋されている。
【００２４】
固定ベース１００の上面１１０の幅方向（Ｙ方向）の中間部には、長手方向（Ｘ方向）に沿ってレール溝１１２が形成され、このレール溝１１２には、金属製のレール１１４が設けられている。
【００２５】
固定ベース１００の端面１４０Ａには、固定ベース１００を運搬及び設置する際などに作業者の手指が挿入される把手用凹部１４２Ａが形成されている（図２も参照）。なお、図１には図示されていないが、固定ベース１００の反対側の端面１４０Ｂにも同様の把手用凹部１４２Ｂが形成されている（図３を参照）。
【００２６】
固定ベース１００の下面１２０には、幅方向（Ｙ方向）に沿った下側溝１５０Ａ及び下側溝１５０Ｂが長手方向に間隔をあけて平行に形成されている（図３も参照）。連通部の一例としての下側溝１５０Ａ、１５０Ｂは、上面１１０の下側且つ下面１２０の上側で、一方の側面１３０Ａから他方の側面１３０Ｂに連通する。
【００２７】
（設置構造）
図３に示すように、固定ベース１００は、設置面Ｇの上に長手方向を水平方向として設置される。また、図２に示すように、二台の固定ベース１００が、幅方向（Ｙ方向）に間隔をあけて平行に並んで設置される。
【００２８】
図２及び図３に示すように、これら二台の固定ベース１００の上面１１０には、設備機器の一例としての室外機１０が載置されている。
【００２９】
室外機１０は、固定ベース１００の上面１１０の金属製のレール１１４（図１及び図２参照）に挿入された図示していないボルトによって、固定ベース１００に固定されている。
【００３０】
室外機１０は、外形形状が直方体形状とされている。なお、図３に示すように、Ｘ方向の一方側が前面部１２であり、他方側が背面部１４である。また、図２に示すように、Ｙ方向の一方側が側部１６であり、他方側が側部１８である。更に、図２及び図３に示すように、鉛直方向（Ｚ方向）の上側が天井部２０であり、下側が底部２２である。
【００３１】
図３に示すように、室外機１０は、背面部１４が建物６０（本実施形態の場合は、戸建て住宅）の外壁面６２に近接して配置されている。また、固定ベース１００は、長手方向（Ｘ方向）が外壁面６２と直交する方向に設置されている。
【００３２】
図２に示すように、室外機１０の側部１８の横には、隣接して配管挿入口５０が設置されている。
【００３３】
なお、図３に示すように、配管挿入口５０は、外壁面６２に設けられている。また、配管挿入口５０は、外壁を貫通しており、後述する冷媒配管３２は、配管挿入口５０に挿入され建物６０内に引き込まれている。
【００３４】
ここで、本実施形態の室外機１０は、側部１６、１８には、取手が設けられていない。よって、室外機１０の運搬や固定ベース１００への載置の際は、ハーネス等をかけて行う。
【００３５】
図２に示すように、室外機１０の側部１６には、接続口の一例としての配管接続口３０が設けられている。配管接続口３０には、冷媒配管３２が接続されている。冷媒配管３２は、一方の固定ベース１００の下側溝１５０Ａ（又は下側溝１５０Ｂ）に通されて（図３も参照）、室外機１０の底部２２の下を取り回され、更に他方の固定ベース１００の下側溝１５０Ａ（又は下側溝１５０Ｂ）に通され、室外機１０の側部１８に隣接している配管挿入口５０（図３も参照）に挿入されている。
【００３６】
［作用及び効果］
次に、本実施形態の作用及び効果について説明する。
【００３７】
図２及び図３に示すように、冷媒配管３２を固定ベース１００の下側溝１５０Ａ（又は１５０Ｂ）に通し、室外機１０の底部２２の下を取り回すことができる。よって、本実施形態のように、室外機１０の配管接続口３０が設けられた側部１６と反対側の側部１８の横に隣接して、冷媒配管３２が挿入する配管挿入口５０が設置されている場合でも、冷媒配管３２を室外機１０の横又は上を取り回す必要がない。また、固定ベース１００が設置された地盤を掘って地中を取り回す必要もない。
【００３８】
このように、冷媒配管３２を室外機１０の底部２２の下を取り回すことができるので、室外機１０の横又は上を取り回す場合と比較し、冷媒配管３２が短くなり材料費が削減されると共に省スペース化される。また、冷媒配管３２を固定ベース１００が設置された地盤を掘って地中を取り回す場合と比較し、室外機１０の設置工事が容易であり、工事時間が短縮する。
【００３９】
また、固定ベース１００は、下側溝１５０Ａ、１５０Ｂが形成されているので、下側溝１５０Ａ、１５０Ｂが形成されていない場合と比較し、軽量化されている。よって、固定ベース１００を運搬して設置面Ｇに設置する際の作業性が向上する。
【００４０】
また、固定ベース１００の上面１１０には、幅方向に沿った上側溝（一例として次に説明する第二実施形態の上側溝２５０（図４参照））がないので、上側溝がある場合と比較し、室外機１０の載置の安定度が向上する。
【００４１】
＜第二実施形態＞
本発明の第二実施形態に係る固定ベース及びこの固定ベースを用いた設備機器の設置構造について説明する。なお、第一実施形態と同一の部材には、同一の符号を付し、重複する説明は省略又は簡略化する。
【００４２】
［全体構造］
先ず第二実施形態に係る固定ベースの構造及び設置構造の全体構造について説明する。
【００４３】
（固定ベース）
図４に示すように、固定ベース２００は、長手方向を水平方向にして設置面Ｇ（図５及び図６を参照）に設置される角柱状のコンクリート製の所謂ゲタ基礎である。
【００４４】
固定ベース２００は、上面２１０、下面２２０、側面２３０Ａ、側面２３０Ｂ（図５をも参照）、端面２４０Ａ及び端面２４０Ｂ（図６も参照）の六つの面を有する角柱状である。なお、本実施形態の固定ベース１００における各角部には、Ｃ面取り又はＲ面取りが成されている。
【００４５】
上面２１０は平面視で長方形状とされている。下面２２０は上面２１０に対して平行であり（図５及び図６も参照）、同じく長方形状とされている。但し、下面２２０は、上面２１０に対して長辺方向（長手方向）はほぼ同じ長さであるが（図６も参照）、短辺方向（幅方向）は上面２１０よりも長い（図５も参照）。
【００４６】
端面２４０Ａ及び端面２４０Ｂ（図６も参照）は、上面２１０及び下面２２０の短辺同士の間を構成し、等脚台形状とされている。側面２３０Ａ及び側面２３０Ｂ（図５も参照）は、上面２１０及び下面２２０の長辺同士の間を構成し、Ｚ方向に対する傾斜面となっている（図５も参照）。
【００４７】
固定ベース２００が設置面Ｇ（図５及び図６参照）に設置された状態では、長辺方向（長手方向）はＸ方向に沿っており、短辺方向（幅方向）はＹ方向に沿っている。上記及び下記における固定ベース２００の各方向は、設置面Ｇに設置された状態における方向で説明している。
【００４８】
前述したように、固定ベース２００は、コンクリート製であり、図示していない成形型等を用いて製造される。また、図示していないが、固定ベース２００内には、平面視で格子状に鉄筋が配筋されている。
【００４９】
固定ベース２００の上面２１０の幅方向（Ｙ方向）の端部近傍には、長手方向（Ｘ方向）に沿ってレール溝２１２が形成され、このレール溝２１２には、金属製のレール２１４が設けられている。なお、後述するように固定ベース２００の上面２１０には、幅方向（Ｙ方向）に沿って上側溝２５０が形成されている。よって、レール溝２１２及びレール２１４は、上側溝２５０によって分断されている。
【００５０】
固定ベース２００の端面２４０Ａには、固定ベース２００を運搬及び設置する際などに作業者の手指が挿入される把手用凹部２４２Ａが形成されている（図５も参照）。なお、図４には図示されていないが、固定ベース２００の反対側の端面２４０Ｂにも同様の把手用凹部２４２Ｂが形成されている（図６を参照）。
【００５１】
固定ベース２００の上面２１０の長手方向（Ｘ方向）の中間部には、幅方向に沿った上側溝２５０が形成されている（図５も参照）。凹部の一例としての上側溝２５０は、上面１１０の下側且つ下面１２０の上側で、一方の側面２３０Ａから他方の側面２３０Ｂに連通する。
【００５２】
（設置構造）
図６に示すように、固定ベース２００は、設置面Ｇの上に長手方向を水平方向として設置される。また、図５に示すように、二台の固定ベース２００が、幅方向（Ｙ方向）に間隔をあけて平行に並んで設置される。
【００５３】
図５及び図６に示すように、これら二台の固定ベース２００の上面２１０には、設備機器の一例としての室外機１０が載置されている。なお、室外機１０は、固定ベース２００の上面２１０のレール溝２１２に設けられた金属製のレール２１４（図４及び図５参照）に挿入された図示していないボルトによって、固定ベース２００に固定されている。
【００５４】
図６に示すように、室外機１０は、背面部１４が建物６０の外壁面６２に近接して配置されている。また、固定ベース２００は、長手方向（Ｘ方向）が外壁面６２と直交する方向に設置されている。
【００５５】
ここで、本実施形態の室外機１０は、側部１６、１８には、取手が設けられていない。よって、図６に示すように、室外機１０の運搬や固定ベース２００への載置の際は、室外機１０の底部２２を作業員が手Ｔで持って行う。そして、室外機１０を固定ベース２００の上面２１０に載置する際は、底部２２を持っている手Ｔを上側溝２５０に入れる。
【００５６】
図５に示すように、室外機１０の側部１６の配管接続口３０には、冷媒配管３２が接続されている。冷媒配管３２は、一方の固定ベース２００の上側溝２５０に通されて（図６も参照）、室外機１０の底部２２の下を取り回され、更に他方の固定ベース２００の上側溝２５０に通され、室外機１０の側部１８に隣接している配管挿入口５０（図６も参照）に挿入されている。
【００５７】
［作用及び効果］
次に、本実施形態の作用及び効果について説明する。
【００５８】
冷媒配管３２を固定ベース２００の上側溝２５０に通し、室外機１０の底部２２の下を取り回すことができる。よって、本実施形態のように、室外機１０の配管接続口３０が設けられた側部１６と反対側の側部１８の横に隣接して、冷媒配管３２が挿入する配管挿入口５０が設置されている場合でも、冷媒配管３２を室外機１０の横又は上を取り回す必要がない。また、固定ベース２００が設置された地盤を掘って地中を取り回す必要もない。
【００５９】
このように、冷媒配管３２を室外機１０の底部２２の下を取り回すことができるので、室外機１０の横又は上を取り回す場合と比較し、冷媒配管３２が短くなり材料費が削減されると共に省スペース化される。また、冷媒配管３２を固定ベース２００が設置された地盤を掘って地中を取り回す場合と比較し、室外機１０の設置工事が容易であり、工事時間が短縮する。
【００６０】
また、冷媒配管３２を固定ベース２００の上側溝２５０に通すので、冷媒配管３２が設置面Ｇに接触しない。よって、冷媒配管３２が設置面Ｇに接触することによる冷媒配管３２への汚れの付着及び雨水による冷媒配管３２の腐食等が防止又は抑制される。
【００６１】
また、室外機１０には取手が無く、底部２２を作業者が手Ｔで持って室外機１０を固定ベース２００に載置する場合、固定ベース２００の上面２１０の上側溝２５０に手Ｔを入れることで、底部２２と固定ベース２００の上面２１０との間に手Ｔが挟まれない。よって、室外機１０に取手が無くても、ハーネス等で吊下げて載置することなく、底部２２を手Ｔで持って室外機１０を固定ベース２００の上面２１０に載置できるので、作業性が向上する。
【００６２】
また、固定ベース２００は、上側溝２５０が形成されているので、上側溝２５０が形成されていない場合と比較し、軽量化されている。よって、固定ベース２００を運搬して設置面Ｇに設置する際の作業性が向上する。
【００６３】
＜その他＞
尚、本発明は上記実施形態に限定されない。
【００６４】
上記第一実施形態では固定ベース１００には二つの下側溝１５０Ａ及び下側溝１５０Ｂが形成され、第二実施形態では固定ベース２００には一つの上側溝２５０が形成されていたが、これらに限定されない。下側溝は一つ又は三つ以上であってもよいし、上側溝は二つ以上であってもよい。
【００６５】
また、例えば、上記実施形態では、固定ベース１００、２００を設置する設置面Ｇは、基礎の上面であったが、これに限定されない。固定ベース１００、２００は、基礎の上面以外の設置面Ｇに設置してもよい。また、固定ベース１００、２００に上下方向に貫通する挿通孔を形成し、挿通孔にアンカーボルト等を挿通させて設置面Ｇに固定ベース１００、２００を固定してもよい。
【００６６】
また、上記実施形態では、設備機器の一例としての室外機１０は、固定ベース１００、２００の上面１１０、２１０のレール１１４、２１４に挿入された図示していないボルトによって、固定されていたが、これに限定されない。
【００６７】
また、例えば、上記実施形態では、冷媒配管３２を通す連通部は下側溝１５０Ａ、１５０Ｂ又は上側溝２５０であったが、これらに限定されない。例えば、連通部は、図７に示す固定ベース３００の幅方向に貫通する貫通孔３５０であってもよい。なお、貫通孔３５０の場合も上側溝２５０と同様に、冷媒配管３２は、設置面Ｇに接触していないので、冷媒配管３２の汚れの付着や腐食等が抑制される。また、固定ベース３００の上面３１０には、幅方向に沿った上側溝（一例として上側溝２５０）がないので、室外機１０の載置の安定度が向上する。
【００６８】
また、例えば、上記実施形態では、二台の固定ベース１００、固定ベース２００又は固定ベース３００を平行に並べて設置したが、これに限定されない。三台以上の固定ベースを平行に並べて設置してもよい。また、固定ベース同士を連結部材等で連結してもよい。また、
【００６９】
また、異なる構造の固定ベースを複数並べて設置してもよい。例えば、固定ベース２００と固定ベース３００とを並べて設置してもよい。更に、本発明が適用された固定ベース（固定ベース１００、２００、３００等）と、本発明が適用されていない固定ベースと、を並べて配置してもよい。
【００７０】
なお、本発明が適用されていない固定ベースを用いる場合、固定ベース１００、２００、３００の連通部（下側溝１５０Ａ、１５０Ｂ、上側溝２５０及び貫通孔３５０等）を通した冷媒配管３２は、底部２２の下で９０°曲げて前面部１２側又は背面部１４側に延出するように配設する。或いは、冷媒配管３２を前面部１２側又は背面部１４側から底部２２の下に配設したのち、略９０°曲げて、固定ベース１００、２００、３００の連通部（下側溝１５０Ａ、１５０Ｂ、上側溝２５０及び貫通孔３５０等）を通す。
【００７１】
また、例えば、上記実施形態では、設備機器は室外機１０であったが、これに限定されない。例えば、設備機器は、自動販売機、給湯器、燃料電池、高圧ガス貯槽タンク及び発電機等であってもよい。
【００７２】
また、例えば、上記実施形態では、連通部（下側溝１５０Ａ、１５０Ｂ、上側溝２５０及び貫通孔３５０等）には冷媒配管３２を通したが、これに限定されない。例えば、冷媒以外の液体又は気体が流れる配管であってもよいし、電気又は信号が流れる配線であってもよい。
【００７３】
また、例えば、上記実施形態では、設備機器の一例としての室外機１０の側部１６の配管接続口３０に接続した冷媒配管３２を連通部（下側溝１５０Ａ、１５０Ｂ、上側溝２５０及び貫通孔３５０等）に通したが、これに限定されない。室外機１０の前面部１２等から延びる配管又は配線を連通部に通してもよい。
【００７４】
更に、固定ベース１００、２００、３００に載置した室外機１０から延びていない別の配管又は配線を連通部（下側溝１５０Ａ、１５０Ｂ、上側溝２５０及び貫通孔３５０等）に通してもよい。例えば、水道栓と配管挿入口５０との間に固定ベース１００、２００、３００に設置され設備機器が配置されている場合、水道栓と配管挿入口５０とを繋ぐ配管を連通部（下側溝１５０Ａ、１５０Ｂ、上側溝２５０及び貫通孔３５０等）に通し、設備機器の底部の下を取り回してもよい。
【００７５】
また、例えば、上記実施形態では、固定ベース１００、２００、３００は、コンクリート製であったが、これに限定されない。コンクリート以外、例えば、モルタル、煉瓦、木、金属及び石等であってもよい。
【００７６】
更に、本発明の要旨を逸脱しない範囲において種々なる態様で実施し得る。
【符号の説明】
【００７７】
１０      室外機（設備機器の一例）
３２      冷媒配管（配管の一例）
１００      固定ベース
１１０      上面
１３０Ａ    側面
１３０Ｂ    側面
１５０Ａ    下側溝（連通部の一例）
１５０Ｂ    下側溝（連通部の一例）
２００      固定ベース
２１０      上面
２３０Ａ    側面
２３０Ｂ    側面
２５０      上側溝（連通部の一例）
３００      固定ベース
３１０      上面
３５０      貫通孔（連通部の一例）
【図１】
2019173336.tif 000003
【図２】
2019173336.tif 000004
【図３】
2019173336.tif 000005
【図４】
2019173336.tif 000006
【図５】
2019173336.tif 000007
【図６】
2019173336.tif 000008
【図７】
2019173336.tif 000009
【手続補正書】
【提出日】平成30年6月22日(2018.6.22)
【手続補正１】
【補正対象書類名】明細書
【補正対象項目名】０００６
【補正方法】変更
【補正の内容】
【０００６】
請求項１の発明は、長手方向を水平方向にして設置され、六つの面を有する角柱状で、中実の固定ベースであって、設備機器が載置される上面と、長手方向に沿った一方の側面から他方の側面に連通する連通部と、を備え、前記連通部は、前記上面に形成された上側溝である、固定ベースである。
【手続補正２】
【補正対象書類名】明細書
【補正対象項目名】０００７
【補正方法】変更
【補正の内容】
【０００７】
請求項１に記載の発明では、配管又は配線は、固定ベースの上側溝に通して、固定ベースの上面に載置された設備機器の下を取り回すことができる。また、配管又は配線は、固定ベースを設置する設置面に接触しないので、配管又は配線の腐食等が抑制される。
【手続補正３】
【補正対象書類名】明細書
【補正対象項目名】０００８
【補正方法】変更
【補正の内容】
【０００８】
請求項２の発明は、長手方向を水平方向にして設置され、六つの面を有する角柱状で、中実の固定ベースであって、設備機器が載置される上面と、長手方向に沿った一方の側面から他方の側面に連通する連通部と、を備え、前記連通部は、前記一方の側面から前記他方の側面に貫通する貫通孔である、固定ベースである。
【手続補正４】
【補正対象書類名】明細書
【補正対象項目名】０００９
【補正方法】変更
【補正の内容】
【０００９】
請求項２に記載の発明では、配管又は配線は、固定ベースの貫通孔に通して、固定ベースの上面に載置された設備機器の底部の下を取り回すことができる。また、固定ベースの上面には長手方向に直交する方向に沿った上側溝がないので、上側溝がある場合と比較し、設備機器の載置の安定度が向上する。
【手続補正５】
【補正対象書類名】明細書
【補正対象項目名】００１０
【補正方法】変更
【補正の内容】
【００１０】
請求項３の発明は、コンクリートを材料として構成されている、請求項１又は請求項２に記載の固定ベースである。
【手続補正６】
【補正対象書類名】明細書
【補正対象項目名】００１１
【補正方法】変更
【補正の内容】
【００１１】
請求項４の発明は、平面視で格子状に鉄筋が埋設されている、請求項３に記載の固定ベースである。
【手続補正７】
【補正対象書類名】明細書
【補正対象項目名】００１２
【補正方法】変更
【補正の内容】
【００１２】
請求項５の発明は、長手方向が平行になるように並んで設置された複数の請求項１〜請求項４のいずれか１項に記載の固定ベースと、前記固定ベースの上面に載置された設備機器と、前記設備機器の一方の側部側から、前記固定ベースの連通部に通されて、前記設備機器の底部の下を取り回され、前記設備機器の他方の側部側に延びる配管又は配線と、を備えた設備機器の設置構造である。
【手続補正８】
【補正対象書類名】明細書
【補正対象項目名】００１３
【補正方法】変更
【補正の内容】
【００１３】
請求項５に記載の発明では、配管又配線は、固定ベースの上面に載置された設備機器の一方の側部側から、固定ベースの連通部に通されて、設備機器の底部の下を取り回され、設備機器の他方の側部側に延びる。
【手続補正９】
【補正対象書類名】特許請求の範囲
【補正対象項目名】全文
【補正方法】変更
【補正の内容】
【特許請求の範囲】
【請求項１】
長手方向を水平方向にして設置され、六つの面を有する角柱状の中実の固定ベースであって、
設備機器が載置される上面と、
長手方向に沿った一方の側面から他方の側面に連通する連通部と、
を備え、
前記連通部は、前記上面に形成された上側溝である、固定ベース。
【請求項２】
長手方向を水平方向にして設置され、六つの面を有する角柱状の中実の固定ベースであって、
設備機器が載置される上面と、
長手方向に沿った一方の側面から他方の側面に連通する連通部と、
を備え、
前記連通部は、前記一方の側面から前記他方の側面に貫通する貫通孔である、固定ベース。
【請求項３】
コンクリートを材料として構成されている、
請求項１又は請求項２に記載の固定ベース。
【請求項４】
平面視で格子状に鉄筋が埋設されている、
請求項３に記載の固定ベース。
【請求項５】
長手方向が平行になるように並んで設置された複数の請求項１〜請求項４のいずれか１項に記載の固定ベースと、
前記固定ベースの上面に載置された設備機器と、
前記設備機器の一方の側部側から、前記固定ベースの連通部に通されて、前記設備機器の底部の下を取り回され、前記設備機器の他方の側部側に延びる配管又は配線と、
を備えた設備機器の設置構造。
【手続補正書】
【提出日】平成30年12月27日(2018.12.27)
【手続補正２】
【補正対象書類名】明細書
【補正対象項目名】０００１
【補正方法】変更
【補正の内容】
【０００１】
本発明は、設備機器の設置構造に関する。
【手続補正３】
【補正対象書類名】明細書
【補正対象項目名】０００６
【補正方法】変更
【補正の内容】
【０００６】
請求項１の発明は、六つの面を有する角柱状の中実のコンクリートを材料として構成され、長手方向が水平且つ平行になるように並んで設置されている二つの固定ベースと、二つの前記固定ベースの上面に載置された設備機器と、二つの前記固定ベースの前記上面に形成され、長手方向に沿った一方の側面から他方の側面に連通する上側溝と、前記設備機器の一方の側部側から、一方の前記固定ベースの上側溝に通されて、前記設備機器の底部の下を取り回され、他方の前記固定ベースの上側溝に通されて、前記設備機器の他方の側部に接続された配管又は配線と、を備えた設備機器の設置構造である。
【手続補正４】
【補正対象書類名】明細書
【補正対象項目名】０００７
【補正方法】変更
【補正の内容】
【０００７】
請求項１に記載の発明では、配管又は配線は、固定ベースの上側溝に通して、固定ベースの上面に載置された設備機器の下を取り回すことができる。また、配管又は配線は、固定ベースを設置する設置面に接触しないので、配管又は配線の腐食等が抑制される。
また、配管又配線は、固定ベースの上面に載置された設備機器の一方の側部側から、固定ベースの連通部に通されて、設備機器の底部の下を取り回され、他方の固定ベースの上側溝に通されて、設備機器の他方の側部に接続される。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項２の発明は、平面視で格子状に鉄筋が埋設されている、請求項１に記載の設備機器の設置構造である。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】特許請求の範囲
【補正対象項目名】全文
【補正方法】変更
【補正の内容】
【特許請求の範囲】
【請求項１】
六つの面を有する角柱状の中実のコンクリートを材料として構成され、長手方向が水平且つ平行になるように並んで設置されている二つの固定ベースと、
二つの前記固定ベースの上面に載置された設備機器と、
二つの前記固定ベースの前記上面に形成され、長手方向に沿った一方の側面から他方の側面に連通する上側溝と、
前記設備機器の一方の側部側から、一方の前記固定ベースの上側溝に通されて、前記設備機器の底部の下を取り回され、他方の前記固定ベースの上側溝に通されて、前記設備機器の他方の側部に接続された配管又は配線と、
を備えた設備機器の設置構造。
【請求項２】
前記固定ベースには、平面視で格子状に鉄筋が埋設されている、
請求項１に記載の設備機器の設置構造。